(57)【要約】【課題】プリンタから排出される印刷物がスタッカまでの排出路中で引掛かった場合であっても、容易にこの印刷物を取除くことができるプリンタ装置を提供する。【解決手段】プリンタ装置１０は主ボックス１１と、主ボックス１１に回動自在に設けられ開口面１１ａを開閉する開閉扉１５と、主ボックス１１内に上下方向に配置された複数のプリンタ１２，１３とを備えている。開閉扉１５の裏面に、各プリンタ１２，１３の排出口１２ａ，１３ａに連通する排出路２８を有する排出ボックス２０が設けられている。この排出ボックス２０は、開閉扉１５の裏面に、回動自在に設けられている。【選択図】図１
2011136420.tif 000002
【特許請求の範囲】
【請求項１】
印刷物を得るプリンタ装置において、
開口された開口面を有する主ボックスと、
主ボックスに第１ヒンジ部を介して回動自在に設けられ、開口面を開閉する開閉扉と、
主ボックス内に上下方向に配置され、各々が開口面側を向く排出口を有する少なくとも一対のプリンタと、
開閉扉の裏面に設けられ、上方側のプリンタおよび下方側のプリンタの各々の排出口に連通する排出路を有する排出ボックスとを備え、
排出ボックスは開閉扉の裏面に第２ヒンジ部を介して回動自在に設けられていることを特徴とするプリンタ装置。
【請求項２】
上方側のプリンタの排出口と、下方側のプリンタの排出口は、平面上の配置位置が、印刷物の排出方向に沿って互いに異なることを特徴とする請求項１記載のプリンタ装置。
【請求項３】
排出ボックスの排出路内下方に、上方側のプリンタおよび下方側のプリンタから排出される印刷物を集積するスタッカが設けられ、
排出路内に、上方側のプリンタの排出口からスタッカまでの上方プリンタ用排出路を形成する第１案内板と、下方側のプリンタの排出口からスタッカまでの下方プリンタ用排出路を形成する第２案内板とが各々設けられていることを特徴とする請求項１または２のいずれか記載のプリンタ装置。
【請求項４】
スタッカは排出路内下方であって、印刷物の排出方向前方側に位置していることを特徴とする請求項３記載のプリンタ装置。
【請求項５】
スタッカは排出路内下方であって、印刷物の排出方向後方側に位置していることを特徴とする請求項３記載のプリンタ装置。
【請求項６】
排出路内の第１案内板および第２案内板は、上方側のプリンタの排出口および下方側のプリンタの排出口から排出される印刷物を反転させてスタッカへ導くことを特徴とする請求項３記載のプリンタ装置。
【請求項７】
排出路内の第１案内板および第２案内板は、上方側のプリンタの排出口および下方側のプリンタの排出口から排出される印刷物を同一の向きをもってスタッカへ導くことを特徴とする請求項３記載のプリンタ装置。
【発明の詳細な説明】
【技術分野】
【０００１】
本発明は写真を印字して写真印刷物を作製する複数のプリンタを有するプリンタ装置に係り、とりわけ写真印刷物をスムーズに排出することができるプリンタ装置に関する。
【背景技術】
【０００２】
従来より写真を印字して写真印刷物を作製するプリンタ装置として、複数のプリンタを有するものが知られている。このようなプリンタ装置において、各プリンタから排出される写真印刷物は同一のスタッカまで導かれ、このスタッカにおいて集積される。
【０００３】
しかしながら、複数のプリンタを有するプリンタ装置において、各プリンタから排出される写真印刷物が、排出路の途中で引掛かったりすることがあり、この場合排出路の途中に引掛かった写真印刷物を取除くことが困難な場合がある。
【先行技術文献】
【特許文献】
【０００４】
【特許文献１】特開２００５−１１１８９３号公報
【特許文献２】特開２００６−１６９４号公報
【発明の概要】
【発明が解決しようとする課題】
【０００５】
本発明はこのような点を考慮してなされたものであり、複数のプリンタを有するプリンタ装置において、各プリンタから排出される写真印刷物がスタッカまでの排出路中で引掛かった場合に、容易かつ簡単にこの引掛かった写真印刷物を取除くことができるプリンタ装置を提供することを目的とする。
【課題を解決するための手段】
【０００６】
本発明は、印刷物を得るプリンタ装置において、開口された開口面を有する主ボックスと、主ボックスに第１ヒンジ部を介して回動自在に設けられ、開口面を開閉する開閉扉と、主ボックス内に上下方向に配置され、各々が開口面側を向く排出口を有する少なくとも一対のプリンタと、開閉扉の裏面に設けられ、上方側のプリンタおよび下方側のプリンタの各々の排出口に連通する排出路を有する排出ボックスとを備え、排出ボックスは開閉扉の裏面に第２ヒンジ部を介して回動自在に設けられていることを特徴とするプリンタ装置である。
【０００７】
本発明は、上方側のプリンタの排出口と、下方側のプリンタの排出口は、平面上の配置位置が、印刷物の排出方向に沿って互いに異なることを特徴とするプリンタ装置である。
【０００８】
本発明は、排出ボックスの排出路内下方に、上方側のプリンタおよび下方側のプリンタから排出される印刷物を集積するスタッカが設けられ、排出路内に、上方プリンタの排出口からスタッカまでの上方プリンタ用排出路を形成する第１案内板と、下方側のプリンタの排出口からスタッカまでの下方プリンタ用排出路を形成する第２案内板とが各々設けられていることを特徴とするプリンタ装置である。
【０００９】
本発明は、スタッカは排出路内下方であって、印刷物の排出方向前方側に位置していることを特徴とするプリンタ装置である。
【００１０】
本発明は、スタッカは排出路内下方であって、印刷物の排出方向後方側に位置していることを特徴とするプリンタ装置である。
【００１１】
本発明は、排出路内の第１案内板および第２案内板は、上方側のプリンタの排出口および下方側のプリンタの排出口から排出される印刷物を反転させてスタッカへ導くことを特徴とするプリンタ装置である。
【００１２】
本発明は、排出路内の第１案内板および第２案内板は、上方側のプリンタの排出口および下方側のプリンタの排出口から排出される印刷物を同一の向きをもってスタッカへ導くことを特徴とするプリンタ装置である。
【発明の効果】
【００１３】
以上のように本発明によれば、排出ボックスの排出路内において印刷物が引掛かったりしてスタッカに到達しない場合、主ボックスに対して開閉扉を回動させて、主ボックスの開口面を開く。次に開閉扉の裏面に設けられた排出ボックスを回動させて排出ボックスの開閉扉側の開口を外方に露出させ、この排出ボックスの開口から排出ボックスの排出路内に引掛かった印刷物を容易に取除くことができる。
【図面の簡単な説明】
【００１４】
【図１】図１は本発明によるプリンタ装置の第１の実施例において開閉扉が開いた状態を示す図。
【図２】図２は本発明によるプリンタ装置の第１の実施例において図１の開閉扉が開いた状態からさらに排出ボックスを回動させた状態の開閉扉と排出ボックスを示す図。
【図３】図３は本発明によるプリンタ装置の第１の実施例において開閉扉が閉じた状態を示す図。
【図４】図４（ａ）はプリンタ装置の上方プリンタから排出される写真印刷物の排出路を示す側面図、図４（ｂ）はその正面図。
【図５】図５（ａ）はプリンタ装置の下方プリンタから排出される写真印刷物の排出路を示す側面図、図５（ｂ）はその正面図。
【図６】図６（ａ）はプリンタ装置の第２の実施の形態の作用を示す側面図、図６（ｂ）はその正面図。
【図７】図７（ａ）はプリンタ装置の第２の実施の形態の作用を示す側面図、図７（ｂ）はその正面図。
【発明を実施するための形態】
【００１５】
第１の実施の形態
以下、図面を参照して本発明の実施の形態について説明する。
【００１６】
図１乃至図５は本発明によるプリンタ装置の第１の実施の形態を示す図であって、このうち図１は開閉扉が開いたプリンタ装置の全体を示す図、図２はプリンタ装置の開閉扉と排出ボックスを示す図、図３は開閉扉が閉じたプリンタ装置の全体を示す図、図４（ａ）はプリンタ装置の作用を示す側面図、図４（ｂ）はプリンタ装置の作用を示す正面図、図５（ａ）はプリンタ装置の作用を示す側面図、図５（ｂ）はプリンタ装置の作用を示す側面図である。
【００１７】
図１乃至図５に示すように、プリンタ装置１０は開口された開口面１１ａを有する主ボックス１１と、主ボックス１１に第１ヒンジ部１６を介して回動自在に設けられ開口面１１ａを開閉自在に覆う開閉扉１５と、主ボックス１１内に上下方向に配置された上方プリンタ（上方側のプリンタ）１２および下方プリンタ（下方側のプリンタ）１３とを備えている。
【００１８】
また主ボックス１１上には、上方プリンタ１２および下方プリンタ１３を駆動制御するＰＣ３０が設置されており、さらに上方プリンタ１２および下方プリンタ１３は各々、開口面１１ａ側を向く排出口１２ａ，１３ａを有している。
【００１９】
すなわち上方プリンタ１２および下方プリンタ１３は写真を印字して写真印刷物１を作製するものであり、上方プリンタ１２および下方プリンタ１３により作製された写真印刷物１は、各々の排出口１２ａ，１３ａから排出される。
【００２０】
ここで写真印刷物１は、基材３と、基材３上に設けられた印刷面２とを有している。
【００２１】
また開閉扉１５の裏面に、上方プリンタ１２の排出口１２ａおよび下方プリンタ１３の排出口１３ａに各々連通する排出路２８を形成する排出ボックス２０が設けられている。また排出ボックス２０は開閉扉１５の裏面に、第２ヒンジ部１７を介して回動自在に設けられている。さらに開閉扉１５はアクリル製の窓１５ａを有し、この窓１５ａを通して外方から開口２０ａを介して排出ボックス２０内部を観察できる。また開閉扉１５を開き、かつ排出ボックス２０を開閉扉１５に対して回動させて開いた場合、排出ボックス２０内に開閉扉１５側の開口２０ａから作業者が手を挿入することができる。
【００２２】
次に図４（ａ）（ｂ）および図５（ａ）（ｂ）により、排出ボックス２０内の構造を詳述する。
【００２３】
図４（ａ）（ｂ）および図５（ａ）（ｂ）において、上方プリンタ１２および下方プリンタ１３は主ボックス１１内に内蔵されているが、図４（ａ）（ｂ）および図５（ａ）（ｂ）において便宜上主ボックス１１は除かれている。
【００２４】
図４（ａ）（ｂ）および図５（ａ）（ｂ）に示すように、上方プリンタ１２の排出口１２ａと、下方プリンタ１３の排出口１３ａは、平面上の配置位置（上方からみた配置位置）が写真印刷物１の排出方向（図４（ａ）および図５（ａ）の右方向）に沿って互いに相違している。すなわち上方プリンタ１２の排出口１２ａは、下方プリンタ１３の排出口１３ａに対して写真印刷物１の排出方向の前方に位置している。
【００２５】
また排出ボックス２０の排出路２８内下方には、上方プリンタ１２および下方プリンタ１３の各々の排出口１２ａ，１３ａから排出される写真印刷物１を集積するスタッカ２１が設けられている。
【００２６】
さらに排出ボックス２０の排出路２８は、上方プリンタ１２の排出口１２ａからスタッカ２１までの上方プリンタ用排出路２８ａと、下方プリンタ１３の排出口１３ａからスタッカ２１までの下方プリンタ用排出路２８ｂとを有している。この場合、上方プリンタ用排出路２８ａは、排出ボックス２０内に設けられた案内板２２ａ，２２ｂおよび反転板２２ｃにより形成されている。これら案内板２２ａ，２２ｂおよび反転板２２ｃによって第１案内板２２ａ，２２ｂ，２２ｃが構成される。また下方プリンタ用排出路２８ｂは、排出ボックス２０内に設けられた第２案内板（反転板）２３ａにより形成されている。
【００２７】
すなわち、図４（ａ）（ｂ）に示すように、上方プリンタ１２の排出口１２ａから排出される写真印刷物１はその印刷面２を上方に向けて排出され、案内板２２ａ，２２ｂを経て、反転板２２ｃに到る。そして写真印刷物１はこの反転板２２ｃにより反転され、写真印刷物１は印刷面２を下方に向けてスタッカ２１上に集積される。
【００２８】
また図５（ａ）（ｂ）に示すように、下方プリンタ１３の排出口１３ａから排出される写真印刷物１は、その印刷面２を上方に向けて排出され、第２案内板（反転板）２３ａにより反転される。写真印刷物１はこのようにして印刷面２を下方に向けてスタッカ２１上に集積される。
【００２９】
なお図４（ａ）（ｂ）および図５（ａ）（ｂ）に示すように、スタッカ２１は排出路２８内において写真印刷物１の排出方向の後方側（上方プリンタ１２および下方プリンタ１３側）に配置されている。
【００３０】
ところで、排出ボックス２０、案内板２２ａ，２２ｂ、反転板２２ｃ、および反転板２３ａは、いずれもステンレス鋼等の錆びにくい金属からなっている。とりわけ案内板２２ａ，２２ｂ、反転板２２ｃ、および反転板２３ａは、写真印刷物の傷付き防止の観点および写真印刷物の引掛かり防止の観点からステンレス鋼板と、このステンレス鋼板上に貼付されたフッ素系シートとからなっている。
【００３１】
このように排出ボックス２０内に上方プリンタ用排出路２８ａと、下方プリンタ法排出路２８ｂとを区画して設けることにより、上方プリンタ１２からの写真印刷物１と下方プリンタ１３からの写真印刷物１とが混じり合って写真印刷物１にジャムが生じることを未然に防止することができる。
【００３２】
また、排出ボックス２０の排出路２８内下方には単一のスタッカ２１が設けられているが、このように単一のスタッカ２１を設けることにより、上方プリンタ１２用のスタッカと下方プリンタ１３用のスタッカを複数設ける場合に比較して、作業者は単一のスタッカ２１から写真印刷物１を取出せば良いので、写真印刷物１の取出し忘れを確実に防止することができる。
【００３３】
次にこのような構成からなる本実施の形態の作用について説明する。
【００３４】
プリンタ装置１０によって写真印刷物１を作製する場合、所望の条件の下で上方プリンタ１２または下方プリンタ１３が用いられる。
【００３５】
上方プリンタ１２により作製された写真印刷物１は、印刷面２を上方に向けた状態で排出口１２ａより排出され、排出ボックス２０内において第１案内板２２ａ，２２ｂ，２２ｃによって形成される上方プリンタ用排出路２８ａ内を通って落下する（図４）。
【００３６】
この場合、まず写真印刷物１は案内板２２ａ，２２ｂに沿って落下し、次に反転板２２ｃに至る。写真印刷物１は反転板２２ｃによって反転されて印刷面２を下方に向けてスタッカ２１上に集積される。
【００３７】
次に図５に示すように、下方プリンタ１３により作製された写真印刷物１は、印刷面２を上方に向けた状態で排出口１３ａより排出され、排出ボックス２０内において、第２案内板２３ａにより反転され、印刷面２を下方に向けてスタッカ２１上に集積される。
【００３８】
この間、排出ボックス２０の排出路２８内で写真印刷物１が引掛かったりしてスタッカ２１上に到達しない場合、主ボックス１１から開閉扉１５を開き、主ボックス１１の開口面１１ａを開く。
【００３９】
次に開閉扉１５の裏面にある排出ボックス２０を回動させて排出ボックス２０の開閉扉１５側の開口２０ａを外方に露出させる（図２参照）。
【００４０】
この状態で、作業者が開口２０ａから排出ボックス２０内に手を挿入することにより、排出ボックス２０の排出路２８から引掛かった写真印刷物１を容易かつ確実に引き抜くことができる。
【００４１】
なお上記実施の形態において、主ボックス１１内に上方プリンタ１２と下方プリンタ１３を配置した例を示したが、プリンタ１２，１３の数は２台に限ることはなく、上下方向に３台、４台設け、排出ボックス２０内に各プリンタに対応する排出路を設けてもよい。またプリンタ装置１０によって写真印刷物１を作製する例を示したが、これに限らずプリンタ装置１０によって他の印刷物を作製してもよい。
【００４２】
第２の実施の形態
次に図６（ａ）（ｂ）および図７（ａ）（ｂ）により、本発明によるプリンタ装置の第２の実施の形態について説明する。
【００４３】
図６（ａ）（ｂ）および図７（ａ）（ｂ）に示す第２の実施の形態は、排出ボックス２０内の構造が異なるのみであり、他の部分は図１乃至図５（ａ）（ｂ）に示す第１の実施の形態と略同一である。
【００４４】
図６（ａ）（ｂ）および図７（ａ）（ｂ）に示す第２の実施の形態において、図１乃至図５（ａ）（ｂ）に示す第１の実施の形態と同一部分については同一符号を符して詳細な説明は省略する。
【００４５】
まず図６（ａ）（ｂ）および図７（ａ）（ｂ）により、第２の実施の形態における排出ボックス２０内の構造を詳述する。
【００４６】
図６（ａ）（ｂ）および図７（ａ）（ｂ）において、上方プリンタ１２および下方プリンタ１３は主ボックス１１内に内蔵されているが、図６（ａ）（ｂ）および図７（ａ）（ｂ）において便宜上主ボックス１１は除かれている。
【００４７】
図６（ａ）（ｂ）および図７（ａ）（ｂ）に示すように、上方プリンタ１２の排出口１２ａと、下方プリンタ１３の排出口１３ａは、平面上の配置位置（上方からみた配置位置）が略一致している。
【００４８】
また排出ボックス２０の排出路２８内下方には、上方プリンタ１２および下方プリンタ１３の各々の排出口１２ａ，１３ａから排出される写真印刷物１を集積するスタッカ２１が設けられている。
【００４９】
さらに排出ボックス２０の排出路２８は、上方プリンタ１２の排出口１２ａからスタッカ２１までの上方プリンタ用排出路２８ａと、下方プリンタ１３の排出口１３ａからスタッカ２１までの下方プリンタ用排出路２８ｂとを有している。この場合、上方プリンタ用排出路２８はａは、排出ボックス２０内に設けられた案内板２２ａ，２２ｂにより形成されている。これら案内板２２ａ，２２ｂによって第１案内板２２ａ，２２ｂが構成される。
【００５０】
また案内板２２ｂは、下方プリンタ用排出路２８ｂの上限を区画する第２案内板２２ｂとしても機能する。
【００５１】
図６（ａ）（ｂ）に示すように、上方プリンタ１２の排出口１２ａから排出される写真印刷物１はその印刷面２を上方に向けて排出され、案内板２２ａ，２２ｂを経て、スタッカ２１まで導かれる。そして写真印刷物１は印刷面２を上方に向けてスタッカ２１上に集積される。
【００５２】
また図７（ａ）（ｂ）に示すように、下方プリンタ１３の排出口１３ａから排出される写真印刷物１は、その印刷面２を上方に向けて排出され、案内板２２ｂにより上方への飛び出しが規制され、写真印刷物１はこのようにして印刷面２を上方に向けてスタッカ２１上に集積される。
【００５３】
なお図６（ａ）（ｂ）および図７（ａ）（ｂ）に示すように、スタッカ２１は排出路２８内において写真印刷物１の排出方向の前方側に配置されている。また、スタッカ２１の写真印刷物１の排出方向の更に前方には、写真印刷物１の飛び出しを防止するガード２５が設けられている。
【００５４】
次にこのような構成からなる本実施の形態の作用について説明する。
【００５５】
プリンタ装置１０によって写真印刷物１を作製する場合、所望の条件の下で上方プリンタ１２または下方プリンタ１３が用いられる。
【００５６】
上方プリンタ１２により作製された写真印刷物１は、印刷面２を上方に向けた状態で排出口１２ａより排出され、排出ボックス２０内において第１案内板２２ａ，２２ｂによって形成される上方プリンタ用排出路２８ａ内を通って落下する（図６（ａ）（ｂ））。
【００５７】
その後、写真印刷物１は印刷面２を上方に向けてスタッカ２１上に集積される。
【００５８】
次に図７（ａ）（ｂ）に示すように、下方プリンタ１３により作製された写真印刷物１は、印刷面２を上方に向けた状態で排出口１３ａより排出され、排出ボックス２０内において、案内板２２ｂにより上方への飛び出しが防止され、印刷面２を上方に向けてスタッカ２９上に集積される。
【００５９】
この間、排出ボックス２０の排出路２８内で写真印刷物１が引掛かったりしてスタッカ２９上に到達しない場合、主ボックス１１から開閉扉１５を開き、主ボックス１１の開口面１１ａを開く。
【００６０】
次に開閉扉１５の裏面にある排出ボックス２０を回動させて排出ボックス２０の開閉扉１５側の開口２０ａを外方に露出させる（図２参照）。
【００６１】
この状態で、作業者が開口２０ａから排出ボックス２０内に手を挿入することにより、排出ボックス２０の排出路２８から引掛かった写真印刷物１を容易かつ確実に引き抜くことができる。
【符号の説明】
【００６２】
１  写真印刷物
２  印刷面
３  基材
１０  プリンタ装置
１１  主ボックス
１２  上方プリンタ
１３  下方プリンタ
１５  開閉扉
２０  排出ボックス
２１  スタッカ
２２，２２ｂ  案内板
２２ｃ  反転板
２３ａ  案内板
２５  ガード
【図１】
2011136420.tif 000003
【図２】
2011136420.tif 000004
【図３】
2011136420.tif 000005
【図４】
2011136420.tif 000006
【図５】
2011136420.tif 000007
【図６】
2011136420.tif 000008
【図７】
2011136420.tif 000009